(57)【要約】【課題】ネットワーク上で、ある特定機器の接続認証を必要とする家庭用電気製品などで、常時特定機器との接続が必要だと、単体で移動すると全く使用できないなどの問題があり利便性に欠けていた。【解決手段】不揮発性メモリなどに動作状態を示す情報を保持しておき、その情報に基づいて認証機能を有効にするかどうかを決定することで、ある動作状態の時にはネットワークから切り離して使用できるようにし、利用者の利便性を高めることができる。【選択図】図１
2005167892.tif 000002
【特許請求の範囲】
【請求項１】
ＩＥＥＥ１３９４バスなどのネットワークに接続された機器に対し、その機器の製造元と機種を特定する手段と、前記機器が特定の製造元で無い、又は特定の機種で無い場合には本来の機能を制限し、かつ、電源オフ以外の操作を抑制する手段と、特定の条件を満たす場合には前記機器の接続認証を行わなくても本来の機能を有効にする機器認証装置。
【発明の詳細な説明】
【技術分野】
【０００１】
本発明はＩＥＥＥ１３９４バスインターフェースなどのネットワークインターフェースに特定の機器の接続認証が必要な機器について、ある特別な条件下では特定の機器の接続認証を行わなくとも本来の機能を有効にする装置に関するものである。
【背景技術】
【０００２】
従来から機器同士を通信手段で結合し、互いの情報をやり取りする、又は特定機器がネットワークを構成する端末の情報を読み出すことで、接続されている機器の認証手続き行う手法が提案されている。
【０００３】
例えば、予め形成されたネットワークに新たに機器が接続される場合に、通信手段の約束されたプロトコルの中で定義された、いくつかの識別情報を利用して接続された機器の適格性を確認する手段が開示されている（特許文献１参照）。
【０００４】
このような技術により機器同士の認証は可能となっており、認証が成功した場合には機器本来の機能を利用することができ、認証が失敗した場合には全ての機能が利用できない、又は一部の機能しか利用できない、などの使用制限をかけることが可能であった。
【特許文献１】特開２００２−８４２８３号公報
【発明の開示】
【発明が解決しようとする課題】
【０００５】
しかしながら家庭用もしくは個人用電気製品等においては、セキュリティ機能を強化しすぎると利用者の利便性に欠ける場合がある。例えば商品の購入後、最初に電源投入した場合の初期設定時や、ある特殊な機能を利用している際にも必ず接続認証が必要であるとすると、あらゆる状況下で接続認証の対象となる機器を常時接続しておかねばならず利用者の利便性を著しく低下させる恐れがある。
【０００６】
従ってある特定の条件下では認証機能を停止させ、その条件を満たさなくなった時に可及的速やかに認証を行い、未認証である場合には本来の機能を抑制させることが必要となる。
【課題を解決するための手段】
【０００７】
上記の課題を解決する方法として、ＩＥＥＥ１３９４バスインターフェースなどのネットワークに特定の機器Ａが接続されていれば使用が可能な家庭用電気製品Ｂを考えた場合、その家庭用電気製品Ｂが購入後始めて電源投入された状態や、ある特定の利用方法で使用している状態を検知することにより、その場合のみ機器Ａが接続されていなくても家庭用電気製品Ｂの使用を許可することが可能な機器認証装置を提供する。
【発明の効果】
【０００８】
上記方法を用いることにより、家庭用電気製品などで特別な機器の接続認証が必要なものでもセキュリティの厳密性を問わないものについては、特殊な利用状況下で利用者の利便性を損なうことなく使用することが可能となる。
【発明を実施するための最良の形態】
【０００９】
（実施の形態１）
ＢＳ・ＣＳ１１０°デジタル放送対応のテレビジョン受像機にある特定のテレビジョン受像機の接続認証を必要とする地上デジタルアダプターを接続したときを実施例として図１、図２を参照しながら説明する。
【００１０】
図１により本発明の接続方法、及び実現方法を説明する。
【００１１】
通常、ＢＳ・ＣＳ１１０°・地上デジタル放送対応のテレビジョン受像機は、地上アナログアンテナ（１００）、ＢＳ・ＣＳ１１０°デジタルアンテナ（１０１）、地上デジタルアンテナ（１０３）で受信した信号を直接、テレビジョン受像機のＢＳ・ＣＳ１１０°・地上デジタル放送受信機に入力することにより番組視聴が可能になる。
【００１２】
本実施例の場合、地上アナログ放送、ＢＳ・ＣＳ１１０°デジタル放送に関しては、地上アナログアンテナ（１００）、ＢＳ・ＣＳ１１０°デジタルアンテナ（１０１）で受信した信号を直接ＢＳ・ＣＳ１１０°デジタル放送対応テレビ（１０３）に入力することにより番組視聴が可能になる。次に、地上デジタル放送に関しては、地上デジタルアンテナ（１０２）で受信した信号を地上デジタルアダプター（１０６）に入力し、その入力された信号をコンポジット接続（１０４）などを用いてＢＳ・ＣＳ１１０°デジタル放送対応テレビ（１０３）に入力することにより番組視聴が可能になる。
【００１３】
上記場合、地上デジタルアダプター（１０６）とＢＳ・ＣＳ１１０°デジタル放送対応テレビ（１０３）とはＩＥＥＥ１３９４バス（１０５）で接続を行っておき、ＩＥＥＥ１３９４の規格に応じたコマンドの送受信でｃｏｎｆｉｇｕｒａｔｉｏｎＲＯＭのＥＵＩ６４情報よりＢＳ・ＣＳ１１０°デジタル放送対応テレビ（１０３）を特定することができる。それにより地上デジタルアダプター（１０６）の機器認証装置（１０８）は特定のデジタル放送対応テレビの接続認証を行うことが可能となる。
【００１４】
この時、ＢＳ・ＣＳ１１０°デジタル放送対応テレビ（１０３）が接続されていない、又は特定の製造元ではない、又は特定の機種ではないことにより接続認証が成功しなかった場合、機器認証装置（１０８）によりリモコン、又は本体操作による電源オフしか受け付けなくする。
【００１５】
次に本発明の特徴である特定の条件下では機器認証装置（１０８）が特定のデジタル放送対応テレビ（１０３）の接続認証を行わない方法を購入後初めて電源投入した場合やアンテナ設定を行う場合を例に説明する。
【００１６】
地上デジタルアダプター（１０６）の電源投入時に機器認証装置（１０８）のシステムが起動され、その後、ＥＥＰＲＯＭなどの不揮発性メモリ（１０９）に記録されている初期設定完了フラグ（１１０）を読み出す。
【００１７】
購入後初めて電源投入した場合、この値は特定の値（仮に１とする）に設定されるようにしておく。機器認証装置（１０８）は不揮発性メモリ（１０９）の初期設定完了フラグを読み出した後、値が１である場合、ＩＥＥＥ１３９４バス（１０５）に接続されているＢＳ・ＣＳ１１０°デジタル放送対応テレビ（１０３）の接続確認は行わず、地上デジタルアダプター（１０６）は各種初期設定画面を表示させる。リモコンなどにより各種初期設定を完了した時点で初期設定完了フラグ（１１０）を別の値（仮に２とする）に上書きする。機器認証装置（１０８）は不揮発性メモリ（１０９）の初期設定完了フラグ（１１０）をある一定間隔で監視しておき、値が１以外であった場合、ＩＥＥＥ１３９４バス（１０５）にＢＳ・ＣＳ１１０°デジタル放送対応テレビ（１０３）が接続されているか確認し、接続されていればＢＳ・ＣＳ１１０°デジタル放送対応テレビ（１０３）の認証を行う。認証成功した場合は地上デジタルアダプター（１０６）として通常の動作を行う。
【００１８】
電気製品を購入し開封後取扱説明書を読む前に電源を投入するユーザーは多くいる。この機能により特定機器の接続が必要なことを知らない、若しくは忘れている場合でも初期設定などの画面を表示し、各種設定を行いながら特定機器の接続が必要なことを案内することも可能となる。
【００１９】
また、地上デジタルアダプター（１０６）にはアンテナ設置のためのアンテナレベル表示機能、及びアンテナレベル表示部（１１２）を備えている。アンテナレベル表示を行った時には不揮発性メモリ（１０９）の動作状態値（１１１）を特定の値（仮に１とする）に変更し、この状態で、電源プラグ（１０７）をコンセントより抜き、再度ＡＣ電源に接続した場合、地上デジタルアダプター（１０６）は起動後、不揮発性メモリ（１０９）の動作状態値（１１１）を読み出し、値が１である場合には即座にアンテナレベル表示を行う。アンテナレベル表示を終了した場合には不揮発性メモリ（１０９）の動作状態値（１１１）を別の値（仮に０とする）に上書きする。機器認証装置（１０８）は前記と同様の手順で動作状態値（１１１）の値が１の場合はＢＳ・ＣＳ１１０°デジタル放送対応テレビ（１０３）の接続認証を行わず、１以外の場合には接続認証を行う処理を実行する。
【００２０】
この機能を用い、屋外のアンテナに近いところに地上デジタルアダプター（１０６）を持っていき、電源プラグ（１０７）をＡＣ電源に接続するだけでアンテナレベルが表示でき、アンテナの調整が可能となる。
【００２１】
図２により発明の動作の流れを説明する。
【００２２】
地上デジタルアダプターの電源がオンされると（Ｓ２００）、まず不揮発性メモリの読み出しを行う（Ｓ２０１）。不揮発性メモリの内容から購入後初めての起動かどうかを判定する（Ｓ２０２）。購入後初めての起動の場合（Ｓ２０２でＹＥＳ）、初期設定画面を表示し、利用者は各種初期設定を行う（Ｓ２０３）。初期設定完了後、初期設定画面を終了し、購入後初めての起動が行われたことを不揮発性メモリに書き出す（Ｓ２０４）。前記処理後、再度、不揮発性メモリの読み出しを行う（Ｓ２０１）。
【００２３】
購入後初めての起動ではない場合（Ｓ２０２でＮＯ）、不揮発性メモリの内容からアンテナ設定モードかどうかを判定する（Ｓ２０５）。アンテナ設定モードの場合（Ｓ２０５でＹＥＳ）、アンテナレベルを表示し、利用者はアンテナレベルを見ながらアンテナを調整する（Ｓ２０６）。アンテナ調整が終わるとアンテナレベル表示を終了し、アンテナ設定モードを抜けたことを不揮発性メモリに書き出す（Ｓ２０７）。前記処理後、再度、不揮発性メモリの読み出しを行う（Ｓ２０１）。
【００２４】
不揮発性メモリの内容から接続認証が必要な場合、つまり、購入後初めての起動ではなく、アンテナ設定モードでもない場合（Ｓ２０２でＮＯ、Ｓ２０５でＮＯ）、ＩＥＥＥ１３９４バスに特定のデジタル放送対応テレビが接続されているかどうかを判定する（Ｓ２０８）。接続認証に成功した場合（Ｓ２０８でＹＥＳ）、地上デジタルアダプターとしての通常機能を提供する（Ｓ２０９）。そして、ＩＥＥＥ１３９４バスに新たな機器が接続されたか、又は不揮発性メモリの内容が変化するまで待機し（Ｓ２１０）、いずれかが発生すれば（Ｓ２１０でＹＥＳ）、不揮発性メモリの読み出しからの処理を行う（Ｓ２０１）。
【００２５】
一方、接続認証に失敗した場合（Ｓ２０８でＮＯ）、通常視聴ができない等の制限をかけ、電源オフ以外の操作ができないように使用を制限する（Ｓ２１１）。
【産業上の利用可能性】
【００２６】
本発明の機器認証装置はネットワークを構成する機器に対し、特定の機器の接続を必要とする機器について組み込むことで幅広く応用できる。
【図面の簡単な説明】
【００２７】
【図１】本発明の構成を示す図
【図２】本発明の動作を説明するフローチャート
【符号の説明】
【００２８】
１００    地上アナログアンテナ
１０１    ＢＳ・ＣＳ１１０°デジタルアンテナ
１０２    地上デジタルアンテナ
１０３    ＢＳ・ＣＳ１１０°デジタル放送対応テレビ
１０４    コンポジット接続
１０５    ＩＥＥＥインターフェースバス
１０６    地上デジタルアダプター
１０７    電源プラグ
１０８    機器認証装置
１０９    不揮発性メモリ
１１０    初期設定完了フラグ
１１１    動作状態値
１１２    アンテナレベル表示部
【図１】
2005167892.tif 000003
【図２】
2005167892.tif 000004